(57)【要約】【課題】配光角の拡大を図ることができる照明装置を提供することである。【解決手段】実施形態に係る照明装置は、本体部の端部の中央側に設けられ、発光素子を有した第１の光源と、前記第１の光源の周辺に設けられ、発光素子を有した第２の光源と、前記第１の光源と、前記第２の光源と、を覆うように設けられたグローブと、を備えた照明装置である。そして、前記第１の光源は、前記照明装置の軸方向に光を照射し、前記第２の光源は、前記端部の周縁に沿って、互いに離隔して複数設けられ、前記第２の光源の光軸は、前記照明装置の中心軸に垂直な平面と平行となるようにして設けられている。【選択図】図２
2012164464.tif 000002
【特許請求の範囲】
【請求項１】
本体部の端部の中央側に設けられ、発光素子を有した第１の光源と、
前記第１の光源の周辺に設けられ、発光素子を有した第２の光源と、
前記第１の光源と、前記第２の光源と、を覆うように設けられたグローブと、
を備えた照明装置であって、
前記第１の光源は、前記照明装置の軸方向に光を照射し、
前記第２の光源は、前記端部の周縁に沿って、互いに離隔して複数設けられ、
前記第２の光源の光軸は、前記照明装置の中心軸に垂直な平面と平行となるように設けられたことを特徴とする照明装置。
【請求項２】
前記端部の形状は円形であり、
前記第２の光源の光軸は、前記円形の端部における法線方向と平行、または、前記円形の端部における法線に交差する方向と平行、となるように設けられたことを特徴とする請求項１記載の照明装置。
【請求項３】
前記第２の光源の発光面と対峙して設けられ、前記第２の光源から照射された光を拡散する拡散部がさらに設けられたことを特徴とする請求項１または２に記載の照明装置。
【請求項４】
前記第１の光源および前記第２の光源の少なくともいずれかの調光を行う制御部をさらに備え、
前記制御部は、前記グローブに生じる明部と暗部との差が小さくなるように前記調光を実行することを特徴とする請求項１〜３のいずれか１つに記載の照明装置。
【請求項５】
前記照明装置の軸方向における前記第１の光源の発光面の位置と、前記第２の光源の光軸の位置と、が異なるものとされたことを特徴とする請求項１〜４のいずれか１つに記載の照明装置。
【発明の詳細な説明】
【技術分野】
【０００１】
後述する実施形態は、概ね、照明装置に関する。
【背景技術】
【０００２】
近年、白熱電球（フィラメント電球）に代わって、光源に発光ダイオード（ＬＥＤ：Light Emitting Diode）を用いた照明装置が実用化されている。  
発光ダイオードを用いた照明装置は、寿命が長く、また、消費電力も少なくすることができるので、既存の白熱電球と置き換えられることが期待されている。  
しかしながら、光源に発光ダイオードを用いるものとすれば、白熱電球と比べて配光角が狭くなるという問題がある。  
そこで、複数の発光ダイオードを有し、複数の方向に光を照射することで配光角を拡げた照明装置が提案されている。  
ところが、単に、複数の方向に光を照射するようにすれば、グローブに生じる明部と暗部との差が大きくなり照明の輝度ムラが大きくなってしまう。  
そのため、意図したような配光角の拡大が図れなくなるおそれがある。
【先行技術文献】
【特許文献】
【０００３】
【特許文献１】特開２０１０−１３５３０８号公報
【発明の概要】
【発明が解決しようとする課題】
【０００４】
本発明が解決しようとする課題は、配光角の拡大を図ることができる照明装置を提供することである。
【課題を解決するための手段】
【０００５】
実施形態に係る照明装置は、本体部の端部の中央側に設けられ、発光素子を有した第１の光源と、前記第１の光源の周辺に設けられ、発光素子を有した第２の光源と、前記第１の光源と、前記第２の光源と、を覆うように設けられたグローブと、を備えた照明装置である。そして、前記第１の光源は、前記照明装置の軸方向に光を照射し、前記第２の光源は、前記端部の周縁に沿って、互いに離隔して複数設けられ、前記第２の光源の光軸は、前記照明装置の中心軸に垂直な平面と平行となるようにして設けられている。
【図面の簡単な説明】
【０００６】
【図１】第１の実施形態に係る照明装置を例示するための模式図である。（ａ）は照明装置の模式部分断面図、（ｂ）は（ａ）におけるＡ−Ａ矢視断面図である。
【図２】第２の実施形態に係る照明装置を例示するための模式図である。（ａ）は照明装置の模式部分断面図、（ｂ）は（ａ）におけるＢ−Ｂ矢視断面図である。
【図３】第３の実施形態に係る照明装置を例示するための模式部分断面図である。（ａ）は第１の光源３の発光面３ａの位置よりも第２の光源４の光軸４ｃの位置が低い場合（口金部６側にある場合）、（ｂ）は第１の光源３の発光面３ａの位置よりも第２の光源４の光軸４ｃの位置が高い場合（グローブ５側にある場合）である。
【発明を実施するための形態】
【０００７】
以下、図面を参照しつつ、実施の形態について例示をする。なお、各図面中、同様の構成要素には同一の符号を付して詳細な説明は適宜省略する。  
[第１の実施形態]  
図１は、第１の実施形態に係る照明装置を例示するための模式図である。なお、図１（ａ）は照明装置の模式部分断面図、図１（ｂ）は図１（ａ）におけるＡ−Ａ矢視断面図である。  
図１（ａ）に示すように、照明装置１には、本体部２、第１の光源３、第２の光源４、グローブ５、口金部６、制御部７、拡散部９が設けられている。
【０００８】
本体部２は、例えば、口金部６側からグローブ５側に向かうにつれて軸方向に垂直な方向における断面積が漸増する様な形状とすることができる。ただし、これに限定されるわけではなく、例えば、第１の光源３、第２の光源４、グローブ５の大きさや配設形態、口金部６の大きさなどに応じて適宜変更することができる。この場合、白熱電球のネック部分の形状に近似させるものとすれば既存の白熱電球との置き換えを容易とすることができる。
【０００９】
本体部２は、例えば、熱伝導性の良好な材料から形成されるものとすることができる。本体部２は、例えば、アルミニウム（Ａｌ）、銅（Ｃｕ）、これらの合金などの金属から形成されるものとすることができる。ただし、これらに限定されるわけではなく窒化アルミニウム（ＡｌＮ）などの無機材料、高熱伝導性樹脂などの有機材料などとすることもできる。
【００１０】
第１の光源３は、本体部２の一方の端部２ａの中央側（例えば、中央部分）に設けられている。第１の光源３の発光面３ａは、照明装置１の軸方向に垂直となるように設けられ、主に、照明装置１の軸方向に光を照射する。第１の光源３は、例えば、複数の発光素子３ｂを有するものとすることができる。ただし、発光素子３ｂの数は適宜変更することができ、照明装置１の用途や発光素子３ｂの大きさなどに応じて１個以上の発光素子３ｂが設けられるようにすればよい。
【００１１】
発光素子３ｂは、例えば、発光ダイオード、有機発光ダイオード、レーザダイオードなどのいわゆる自発光素子などとすることができる。複数の発光素子３ｂが設けられる場合には、マトリックス状、千鳥状、放射状などのように規則的な配設形態とすることもできるし、任意の配設形態とすることもできる。
【００１２】
第２の光源４は、第１の光源３の周辺に設けられている。  
第２の光源４は、主に、照明装置１の軸方向に交差する方向に光を照射する。この場合、図１（ａ）に示すように、第２の光源４の発光面４ａは照明装置１の軸方向に平行となるように設けられ、主に、照明装置１の軸方向に垂直な方向に光を照射するようにすることができる。
すなわち、第２の光源４の光軸４ｃは、照明装置１の中心軸１ｂに垂直な平面と平行となるようにして設けられている。
【００１３】
また、図１（ｂ）に示すように、照明装置１の軸心１ａを中心として放射状に光を照射することができるように第２の光源４を設けるようにすることができる。例えば、第２の光源４は、照明装置１の中心軸１ｂに垂直な面において、第２の光源４の光軸４ｃの延長上に照明装置１の軸心１ａが位置するように設けられるようにすることができる。この場合、端部２ａの形状が円形である場合には、第２の光源４の光軸４ｃが円形の端部２ａにおける法線方向と平行となるようにすることができる。
【００１４】
また、第２の光源４は、本体部２の端部２ａの周縁に沿って、互いに離隔して複数設けられている。  
第２の光源４が本体部２の端部２ａの周縁に沿って、互いに離隔して設けられるようにすれば、第２の光源４が端部２ａの中央側に設けられる場合と比べて放熱を容易とすることができる。そのため、第２の光源４に印加可能な電力を大きくすることができるので、配光角の拡大をさらに図ることができる。  
この場合、例えば、第２の光源４は、本体部２の端部２ａの周縁に沿って、等間隔で設けられるようにすることができる。第２の光源４を端部２ａの周縁に沿って、等間隔で設けるようにすれば、照明装置１の軸方向に垂直な方向において均等に光を照射することができるので、配光角の拡大が容易となる。なお、第２の光源４の間隔や配設数などは例示をしたものに限定されるわけではなく、適宜変更することができる。
【００１５】
第２の光源４は、例えば、１個の発光素子４ｂを有するものとすることができる。ただし、発光素子４ｂの数は適宜変更することができ、配光角や発光素子４ｂの大きさなどに応じて１個以上の発光素子４ｂが設けられるようにすればよい。また、発光素子４ｂは、発光素子３ｂと同様に自発光素子などとすることができる。この場合、発光素子４ｂと発光素子３ｂとが同じ種類の自発光素子とすることもできるし、発光素子４ｂと発光素子３ｂとが異なる種類の自発光素子とすることもできる。  
本実施の形態においては、前述した第２の光源４を設けるようにしているので、照明装置１の軸方向に交差する方向にも光を照射することができる。  
そのため、照明装置１の配光角を大幅に拡げることができる。
【００１６】
グローブ５は、第１の光源３、第２の光源４を覆うようにして、本体部２の一方の端部２ａに設けられている。グローブ５は、光の出射方向に突出する曲面を有している。グローブ５は、透光性を有し、第１の光源３、第２の光源４から照射された光が照明装置１の外部に出射することができるようになっている。グローブ５は、透光性の材料から形成されるものとすることができ、例えば、ガラス、ポリカーボネートなどの透明樹脂などから形成されるものとすることができる。また、グローブ５の内面に拡散剤や蛍光体を塗布することができる。この場合、第１の光源３からの光が照射される領域と、第２の光源４からの光が照射される領域とで塗布される蛍光体の種類を変えて、グローブ５全体における色調を揃えるようにすることができる。
【００１７】
口金部６は、本体部２のグローブ５が設けられる側とは反対側の端部２ｂに設けられている。口金部６は、白熱電球が装着されるソケットに取付可能な形状を有するものとすることができる。口金部６は、例えば、ＪＩＳ規格に定められているＥ２６形やＥ１７形などと同様の形状を有するものとすることができる。ただし、口金部６は、例示をした形状に限定されるわけではなく適宜変更することができる。例えば、口金部６は、蛍光ランプに使用されるピン形の端子を有するものとすることもできるし、引掛シーリングに使用されるＬ字形の端子を有するものとすることもできる。
【００１８】
口金部６は、例えば、金属などの導電性材料から形成されるものとすることができる。また、外部の電源と電気的に接続される部分を金属などの導電性材料から形成し、それ以外の部分を樹脂などから形成するようにすることもできる。
【００１９】
図１（ａ）に例示をした口金部６は、ねじ山を有する筒状のシェル部６ａと、シェル部６ａの本体部２に設けられる側の端部とは反対側の端部に設けられたアイレット部６ｂとを有している。シェル部６ａ、アイレット部６ｂには、後述する制御部７が電気的に接続されている。そのため、シェル部６ａ、アイレット部６ｂを介して外部の図示しない電源と制御部７とを電気的に接続することができるようになっている。この場合、本体部２が金属などから形成される場合には、本体部２と口金部６との間に接着剤などからなる絶縁部が設けられるようにすることができる。
【００２０】
制御部７は、本体部２の内部に形成された空間に設けられている。なお、本体部２と制御部７との間に電気絶縁を図るための図示しない絶縁部を適宜設けるようにすることができる。  
制御部７は、第１の光源３、第２の光源４に電力を供給する点灯回路を有するものとすることができる。この場合、点灯回路は、例えば、商用電源の交流１００Ｖを直流２４Ｖに変換して第１の光源３、第２の光源４に供給するものとすることができる。また、制御部７は、第１の光源３および第２の光源４の少なくともいずれかの調光を行うための調光回路をも有するものとすることができる。この場合、発光素子３ｂや発光素子４ｂが複数設けられている場合には、各発光素子ごと、あるいは、一群の発光素子ごとに調光を行うことができるものとすることができる。なお、後述するように、制御部７は、配光角が拡げられるように調光を実行するものとすることができる。またさらに、制御部７は、グローブ５に生じる明部と暗部との差が小さくなるように調光を実行するものとすることもできる。
【００２１】
また、第１の光源３と本体部２との間には基板８ａが設けられ、第２の光源４と本体部２との間には基板８ｂが設けられている。  
基板８ａ、基板８ｂは、例えば、熱伝導性の良好な材料から形成されるものとすることができる。基板８ａ、基板８ｂは、例えば、アルミニウム（Ａｌ）、銅（Ｃｕ）、これらの合金などの金属から形成され、表面に絶縁層を介して図示しない配線パターンが形成されたものとすることができる。そのようにすれば、図示しない配線パターンを介して、第１の光源３と第２の光源４とを制御部７に電気的に接続することが容易となる。また、第１の光源３、第２の光源４において発生した熱を基板８ａ、基板８ｂ、本体部２を介して外部に放散することが容易となる。
【００２２】
ここで、単に、複数の方向に光を照射するようにすれば、グローブ５に生じる明部と暗部との差が大きくなり照明の輝度ムラが大きくなるおそれがある。  
そのため、意図したような配光角の拡大が図れなくなるおそれがある。  
例えば、第２の光源４の正面側において、照射された光がグローブ５の内面に垂直に入射する場合が生ずる。また、スペースの関係から第２の光源４の発光面４ａとグローブ５の内面との間の距離を大きくすることが困難となる場合がある。そのため、グローブ５の第２の光源４の正面に位置する部分に照射される光が強くなりすぎて、照明の輝度ムラが大きくなるおそれがある。  
この場合、照明装置１の軸方向に交差する方向に照射される光を単に弱くすると、意図したような配光角の拡大が図れなくなるおそれがある。
そこで、本実施の形態においては、拡散部９を設けるなどして照明の輝度ムラを抑制し、配光角を拡げることができるようにしている。
【００２３】
拡散部９は、第２の光源４の発光面４ａと対峙して設けられ、第２の光源４から照射された光を拡散する。  
この場合、例えば、図１（ａ）に示すように、拡散部９は、第２の光源４の発光面４ａとグローブ５の内面との間に設けられるようにすることができる。また、拡散部９は、帯状を呈し、グローブ５の内面に密着させるようにして設けるようにすることができる。
【００２４】
拡散部９は、透光性を有し、第２の光源４から照射された光を透過させることができ、かつ、透過光を拡散させることができるようになっている。  
拡散部９は、例えば、透光性の材料（例えば、ガラス、ポリカーボネートなどの透明樹脂など）から形成された基体の表面に光拡散物質が塗布されたり、基体の内部に光拡散物質が含有されたりしたものとすることができる。この場合、光拡散物質としては、例えば、シリカ粒子などを例示することができる。ただし、光拡散物質はこれに限定されるわけではなく適宜変更することができる。  
また、拡散部９は、例えば、透光性の材料から形成された基体の表面に、透過光を異なる方向に屈折させるための微細なプリズムが形成されたものとすることができる。
【００２５】
なお、図１に例示をしたものの場合には、グローブ５の内側に拡散部９を設けるようにしたが、グローブ５の外側に拡散部９を設けるようにすることもできる。また、拡散部９とグローブ５とを一体的に形成するようにすることもできる。
【００２６】
また、グローブ５の一部が拡散部９となるようにしてもよい。  
例えば、グローブ５の第２の光源４の発光面４ａと対峙する領域における内面および外面の少なくともいずれかに光拡散物質を塗布したり、グローブ５の当該領域に光拡散物質を含有させたりすることで拡散部９を形成するようにすることもできる。  
また、例えば、グローブ５の第２の光源４の発光面４ａと対峙する領域における内面および外面の少なくともいずれかに前述した微細なプリズムを形成するようにすることもできる。
【００２７】
また、図１に例示をしたものの場合には、グローブ５の内面に沿って全周に拡散部９を設けるようにしたが、必ずしも全周に拡散部９を設ける必要はない。  
また、第２の光源４との位置に応じて光の拡散性が変化するようにしてもよい。例えば、第２の光源４の正面近傍においては光の拡散性を高くし、第２の光源４同士の間においては光の拡散性を低くするようにすることができる。この場合、光拡散物質の量を変化させたり、プリズムの形状や配設密度などを変化させたりすることで光の拡散性を変化させるようにすることができる。
【００２８】
また、図１に例示をしたものの場合には、一定の厚みを有した拡散部９を例示したがこれに限定されるわけではない。例えば、第２の光源４の正面近傍においては光の透過性を低下させるために厚みを厚くし、第２の光源４同士の間においては光の透過性を向上させるために厚みを薄くするようにすることができる。
【００２９】
またさらに、制御部７に設けられた調光回路により発光素子４ｂから照射される光の強度を制御することで、配光角の拡大が阻害されないような調光を実行させることができる。この場合、グローブ５に生じる明部と暗部との差を低減させることができる程度に調光を実行し、配光角の拡大が阻害されないようにすることができる。
【００３０】
本実施の形態によれば、前述した第２の光源４を設けることで配光角の拡大を図ることができる。またさらに、第２の光源４の発光面４ａと対峙させるようにして設けられた拡散部９により、第２の光源４から照射された光が拡散されるので、配光角の拡大を容易とすることができるとともに、照明の輝度ムラをも抑制することができる。  
またさらに、制御部７に設けられた調光回路により発光素子４ｂから照射される光の強度を制御することで、配光角の拡大が阻害されないような調光を実行することができる。。
【００３１】
[第２の実施形態]  
図２は、第２の実施形態に係る照明装置を例示するための模式図である。なお、図２（ａ）は照明装置の模式部分断面図、図２（ｂ）は図２（ａ）におけるＢ−Ｂ矢視断面図である。  
図２（ａ）に示すように、照明装置１１には、本体部２、第１の光源３、第２の光源４、グローブ５、口金部６、制御部７が設けられている。  
図１に例示をしたものとは、第２の光源４の発光面４ａの向きが異なっている。  
第２の光源４は、第１の光源３の周辺に設けられている。第２の光源４は、主に、照明装置１１の軸方向に交差する方向に光を照射する。この場合、図２（ａ）に示すように、第２の光源４の発光面４ａは照明装置１１の軸方向に平行となるように設けられ、主に、照明装置１１の軸方向に垂直な方向に光を照射するものとすることができる。
【００３２】
そして、照明装置１１の中心軸１１ｂに垂直な面において、第２の光源４の光軸４ｃと、軸心１１ａを通る線分とが交差するように第２の光源４を設けるようにすることができる。  この場合、図２（ｂ）に示すように、端部２ａの形状が円形である場合には、第２の光源４の光軸４ｃが円形の端部２ａにおける法線に交差する方向と平行となるようにすることができる。またさらに、図２（ｂ）に示すように、第２の光源４の光軸４ｃが円形の端部２ａにおける接線方向と平行となるようにすることができる。
【００３３】
第２の光源４の配設形態をこの様にすれば、照明装置１１の軸方向に交差する方向に光を照射することができるので、配光角を大幅に拡げることができる。  
またさらに、第２の光源４の正面側において、照射された光がグローブ５の内面に垂直に入射することを抑制することができる。また、照明装置１１の中心軸１１ｂに垂直な方向の断面の面積が小さい場合であっても第２の光源４の発光面４ａとグローブ５の内面との間の距離を大きくすることができる。そのため、グローブ５に生じる明部と暗部との差を小さくすることができるので、配光角の拡大を容易とすることができるとともに、照明の輝度ムラをも抑制することができる。
【００３４】
また、第２の光源４は、本体部２の端部２ａの周縁に沿って、互いに離隔して複数設けられている。  
第２の光源４が本体部２の端部２ａの周縁に沿って、互いに離隔して設けられるようにすれば、第２の光源４が端部２ａの中央側に設けられる場合と比べて放熱を容易とすることができる。そのため、第２の光源４に印加可能な電力を大きくすることができるので、配光角の拡大をさらに図ることができる。  
この場合、例えば、第２の光源４は、本体部２の端部２ａの周縁に沿って、等間隔で設けられるようにすることができる。第２の光源４を端部２ａの周縁に沿って、等間隔で設けるようにすれば、照明装置１１の軸方向に垂直な方向において均等に光を照射させることができるので、配光角の拡大が容易となる。なお、第２の光源４の間隔や配設数などは例示をしたものに限定されるわけではなく、適宜変更することができる。
【００３５】
また、前述した拡散部９をさらに設けたり、制御部７に設けられた調光回路により発光素子４ｂから照射される光の強度を制御したりすることもできる。その様にすれば、前述したものと同様に、配光角の拡大がさらに容易となる。
【００３６】
本実施の形態によれば、前述した第２の光源４を設けることで配光角の拡大を図ることができる。またさらに、第２の光源４の配設形態を前述したものとすることで第２の光源４から照射された光の拡散を大きくすることができる。そのため、配光角の拡大を容易とすることができるとともに、照明の輝度ムラを抑制することもできる。  
またさらに、前述した拡散部９をさらに設けたり、制御部７に設けられた調光回路により発光素子４ｂから照射される光の強度を制御したりすることで、前述したものと同様に、配光角の拡大がさらに容易となる。
【００３７】
[第３の実施形態]  
図３は、第３の実施形態に係る照明装置を例示するための模式部分断面図である。なお、図３（ａ）は第１の光源３の発光面３ａの位置よりも第２の光源４の光軸４ｃの位置が低い場合（口金部６側にある場合）、図３（ｂ）は第１の光源３の発光面３ａの位置よりも第２の光源４の光軸４ｃの位置が高い場合（グローブ５側にある場合）である。  
すなわち、図１（ａ）に例示をした照明装置１は、照明装置１の軸方向における第１の光源３の発光面３ａの位置と第２の光源４の光軸４ｃの位置とがほぼ同一平面上にある場合であるが、図３（ａ）に例示をする照明装置２１と、図３（ｂ）に例示をする照明装置３１とでは、照明装置の軸方向における第１の光源３の発光面３ａの位置と第２の光源４の光軸４ｃの位置とが異なるものとなっている。
【００３８】
図３（ａ）に示すように、照明装置２１には、本体部２２、第１の光源３、第２の光源４、グローブ５、口金部６、制御部７、拡散部９が設けられている。なお、２１ｂは照明装置２１の中心軸である。また、２２ｂは、本体部２２の口金部６が設けられる側の端部である。
【００３９】
本体部２２の形状、材質は、前述した本体部２の形状、材質と同様とすることができる。
ただし、照明装置２１の軸方向における第１の光源３の発光面３ａの位置と第２の光源４の光軸４ｃの位置とを異なるものとするために、本体部２２の一方の端部２２ａに凸部２２ｃ、２２ｄをこの順で積層するようにして設けている。
【００４０】
凸部２２ｃは、円板状を呈し、端部２２ａの中央側（例えば、中央部分）に設けられるものとすることができる。また、凸部２２ｄは、円板状を呈し、凸部２２ｃの主面の中央側（例えば、中央部分）に設けられるものとすることができる。  
そして、第１の光源３は、凸部２２ｄの主面の中央側（例えば、中央部分）に基板８ａを介して設けられている。第２の光源４は、凸部２２ｄの外方であって、凸部２２ｃの主面の周縁部分に基板８ｂを介して設けられている。  
なお、照明装置２１の中心軸２１ｂに垂直な面における第２の光源４の配設形態は、図１（ｂ）に例示をしたものと同様とすることができる。また、拡散部９は、第２の光源４の光軸４ｃの位置に応じて、寸法を変えたり、配設位置を変えたりするようにすることができる。
【００４１】
図３（ｂ）に示すように、照明装置３１には、本体部３２、第１の光源３、第２の光源４、グローブ５、口金部６、制御部７、拡散部９が設けられている。なお、３１ｂは照明装置２１の中心軸である。また、３２ｂは、本体部３２の口金部６が設けられる側の端部である。
【００４２】
本体部３２の形状、材質は、前述した本体部２の形状、材質と同様とすることができる。
ただし、照明装置３１の軸方向における第１の光源３の発光面３ａの位置と第２の光源４の光軸４ｃの位置とを異なるものとするために、本体部３２の一方の端部３２ａに凸部３２ｃを設けている。
【００４３】
凸部３２ｃは、柱状を呈し、端部３２ａの周縁に沿って、互いに離隔して設けられている。また、凸部３２ｃは、１個の第２の光源４に対して設けられるものとすることができるし、複数の第２の光源に対して設けられるものとすることもできる。また、互いに分離された凸部３２ｃを複数設けるようにすることもできるし、環状の凸部３２ｃを一体的に設けるようにすることもできる。
【００４４】
そして、第１の光源３は、端部２ａの中央側（例えば、中央部分）に基板８ａを介して設けられている。第２の光源４は、凸部３２ｃの上面に基板８ｂを介して設けられている。
なお、照明装置３１の中心軸３１ｂに垂直な面における第２の光源４の配設形態は、図１（ｂ）に例示をしたものと同様とすることができる。また、拡散部９は、第２の光源４の光軸４ｃの位置に応じて、寸法を変えたり、配設位置を変えたりするようにすることができる。
【００４５】
図３（ａ）、図３（ｂ）においては、照明装置の中心軸に垂直な面における第２の光源４の配設形態を図１（ｂ）に例示をしたものと同様としたが、図２（ｂ）に例示をしたものと同様とすることもできる。この場合、図２に例示をしたように、拡散部９を省略することもできる。
【００４６】
この場合、図３（ａ）のような配設形態とすれば、第１の光源３により照射されるグローブ５の領域を明るくすることができる。また、図３（ｂ）のような配設形態とすれば、第１の光源３により照射されるグローブ５の領域を暗くすることができる。  
すなわち、第１の光源３により照射されるグローブ５の領域の明るさを適宜設定することができるので、第２の光源４により照射されるグローブ５の領域の明るさとのバランスを取ることができる。  
そのため、照明の輝度ムラを低減させることができ、前述した配光角の拡大が容易となる。
【００４７】
本実施の形態によれば、照明装置の軸方向における第１の光源３の発光面３ａの位置と、第２の光源４の光軸４ｃの位置とを適宜設定することでグローブ５に生じる明部と暗部との差を抑制することができる。そのため、照明の輝度ムラを抑制することができ、配光角の拡大を容易とすることができる。
【００４８】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【００４９】
例えば、照明装置１、照明装置１１、照明装置２１、照明装置３１などが備える各要素の形状、寸法、材質、配置、数などは、例示をしたものに限定されるわけではなく適宜変更することができる。
【符号の説明】
【００５０】
１  照明装置、２  本体部、３  第１の光源、３ａ  発光面、３ｂ  発光素子、４  第２の光源、４ａ  発光面、４ｂ  発光素子、４ｃ  光軸、５  グローブ、６  口金部、７  制御部、９  拡散部、１１  照明装置、２１  照明装置、３１  照明装置
【図１】
2012164464.tif 000003
【図２】
2012164464.tif 000004
【図３】
2012164464.tif 000005